(57)【特許請求の範囲】
【請求項１】
取付板に形成した球入口の前面両側に一対の可動翼片を起立および傾動自在に軸支し、取付板の後面に設けた箱枠内には、外周に球接触片と係合部を有しかつ両側端に係合片を設けた回転体と、箱枠の後部上面に形成した球導入口から入る球を受けて揺動し前記回転体を回転させる送り爪を備えたレバー片とを設け、前記可動翼片間を通る球が球接触片に接触することにより回転体を所定角度回転させると共に、可動翼片間に係合片が介入したとき該可動翼片を起立させるようにし、また前記可動翼片が起立した状態のときレバー片の揺動により前記送り爪と前記係合部とが接触して回転体を所定角度回転させ、それによって可動翼片を傾動させるようにしたパチンコ球受口器において、
前記回転体の球接触片は、前記可動翼片が傾動した状態のときのみその可動翼片間を通る球が接触して回転体を所定角度回転させ、その回転体の回転により前記係合片が可動翼片間に介入して可動翼片を起立させる位置に設けられ、前記回転体に球を受けて揺動した前記レバー片の送り爪に当接して該回転体を所定角度回転した位置で停止させる突起状のストッパーを設けたことを特徴とするパチンコ球受口器。
【請求項２】
前記レバー片の上方部に該レバー片に係合するロック片部と前記球導入口に臨む球接触片部とを有するロック部材を回動自在に設けたことを特徴とする請求項１記載のパチンコ球受口器。
【請求項３】
前記球接触片を回転体の軸筒外周に１８０度間隔に設け、前記軸筒の両側に係合片を設けると共に前記係合部を前記球接触片と係合片間に設けたことを特徴とする請求項１又は２記載のパチンコ球受口器。
【発明の詳細な説明】
【０００１】
【産業上の利用分野】
本発明は、取付板に形成した球入口の前面両側に一対の可動翼片を起立および傾動自在に軸支し、取付板の後面に設けた箱枠内には、可動翼片の起立と傾動を制御する回転体と、箱枠の後部上面に形成した球導入口から入る球を受けて揺動し、前記回転体の回転を生じさせるレバー片を設けてなるパチンコ球受口器に関するものである。
【０００２】
【従来の技術】
従来、この種のセーフ球受口器としては、例えば実公平５−２４３７９号公報記載のものが知られている。この従来のセーフ球受口器は、図１０及び図１１に示すように取付板１００に形成した球入口１０１の前面両側に起立及び傾動自由な一対の可動翼片１０２，１０２を軸支し、取付板１００の後面に箱枠１０３を設けて該箱枠１０３の内部に複数の球接触片１０４を回転中心から放射方向へ等間隔に突出し、かつ所要の球接触片１０４の側端面の両側に係合壁１０５，１０５を形成した回転体１０６と、箱枠１０３の後部上面に形成した球導入口１０７から入る球を受けて揺動するレバー片１０８とを設け、前記可動翼片１０２，１０２間を通る球が球接触片１０４に接触することにより回転体１０６を３６０度／球接触片の数の角度ずつ回転させて、該可動翼片１０２，１０２が係合壁１０５，１０５に接触したときはこれが起立し、係合壁１０５，１０５がない部分で傾動するようにし、さらに可動翼片１０２，１０２が起立した状態のとき、レバー片１０８の揺動によっても前記回転体１０６の回転を生じさせて可動翼片１０２，１０２を傾動させるようにしている。
【０００３】
【発明が解決しようとする課題】
ところで、従来のセーフ球受口器にあっては、いずれも起立した可動翼片１０２，１０２間に球が入るか或いはレバー片１０８が揺動すると可動翼片１０２，１０２が傾動するというようにその動作が一様でマンネリ化しつつあり、その使用態様も限られたものであって遊技者の興味が失われつつあるという問題点があった。もし、従来のセーフ球受口器と異なった動作を行わせることができれば新鮮味が増して興趣が高められると共に、その使用態様も変化に富んだものとなる。
【０００４】
本発明は、従来技術の有するこのような問題点にかんがみてなされたもので、その目的とするところは、従来のセーフ球受口器の構造を大幅に改変することなく異なった動作を行わせることができるような新規なパチンコ球受口器を提供しようとするものである。
【０００５】
【課題を解決するための手段】
上記目的を達成するために、本発明は、取付板に形成した球入口の前面両側に一対の可動翼片を起立および傾動自在に軸支し、取付板の後面に設けた箱枠内には、外周に球接触片と係合部を有しかつ両側端に係合片を設けた回転体と、箱枠の後部上面に形成した球導入口から入る球を受けて揺動し前記回転体を回転させる送り爪を備えたレバー片とを設け、前記可動翼片間を通る球が球接触片に接触することにより回転体を所定角度回転させると共に、可動翼片間に係合片が介入したとき該可動翼片を起立させるようにし、また前記可動翼片が起立した状態のときレバー片の揺動により前記送り爪と前記係合部とが接触して回転体を所定角度回転させ、それによって可動翼片を傾動させるようにしたパチンコ球受口器において、
前記回転体の球接触片は、前記可動翼片が傾動した状態のときのみその可動翼片間を通る球が接触して回転体を所定角度回転させ、その回転体の回転により前記係合片が可動翼片間に介入して可動翼片を起立させる位置に設けられ、前記回転体に球を受けて揺動した前記レバー片の送り爪に当接して該回転体を所定角度回転した位置で停止させる突起状のストッパーを設けるようにしたものである。
【０００６】
請求項２記載の発明は、請求項１記載の発明において、前記レバー片の上方部に該レバー片に係合するロック片部と前記球導入口に臨む球接触片部とを有するロック部材を回動自在に設けたことを特徴とする。
【０００７】
請求項３記載の発明は、請求項１又は２記載の発明において、前記球接触片を回転体の軸筒外周に１８０度間隔に設け、前記軸筒の両側に係合片を設けると共に前記係合部を前記球接触片と係合片間に設けたことを特徴とする。
【０００８】
【作用】
可動翼片が起立した状態のときその翼片間に球が入ると、該球は回転体の球接触片に接触することなく球入口から箱枠の後方へ素通りして流出する。このため、可動翼片は傾動することなく起立した状態を維持する。一方、この状態で箱枠の球導入口から球が入ってレバー片が揺動されると、これが回転体の係合部に接触して該回転体を所定角度回転させる。これによって、回転体の係合片が起立した可動翼片間から移動することになって可動翼片が傾動する。
【０００９】
また、可動翼片が傾動した状態のときその翼片間に球が入るとこれが回転体の球接触片に接触して該回転体を所定角度回転させる。これによって、回転体の係合片が可動翼片間に介入することになり該可動翼片が起立する。
【００１０】
【実施例】
以下、本発明の実施例を図面を参照して説明する。図１は本発明の一実施例のパチンコ球受口器の斜視図、図２は一部断面にして示す正面図、図３は縦断側面図であり、１は取付板であって、これの下方に球入口２を設け、該球入口２の前面両側に図２実線の平行起立と同図鎖線の逆八字形に傾動自在な一対の可動翼片３，３を軸４，４により軸着する。各可動翼片３，３は、起立状態で重心がそれぞれの軸４，４の外方とし、また、その軸より下方の後側端に突設した突起５，５を前記球入口２内に突入させている（図３参照）。６は両可動翼片３，３の軸４，４より下方を覆って取付板１に固着したチャッカーで、これに球入口２の下側辺と連通状に球の誘導底片７が形成されている。
【００１１】
８は球入口２の後部において取付板１の後面に連着した箱枠で、図３に示すようにその後部上面を開口して球導入口９を形成している。また箱枠８の内部下方には、誘導底片７と連通する球通路１０を設けている。１１は球入口２の上方部分に対応させ、かつ箱枠８内に差渡した横軸１２に回転自在に軸支した回転体であり、該回転体１１は図４に示すように軸筒１３の外周中央部分に２つの球接触片１４ａ，１４ｂを回転中心から左右対称（１８０度間隔）に設け、かつ軸筒１３の両側端に係合片１５，１５を設けている。
【００１２】
前記回転体１１の２つの球接触片１４ａ，１４ｂは、可動翼片３，３が起立した状態のとき図３に示すようにその翼片３，３間に入った球が接触することなく後方へ素通りするようにその位置が選ばれる。また、係合片１５，１５は回転体１１が１８０度ずつ回転するごとに可動翼片３，３の突起５，５内面に接触係合して該可動翼片３，３を図２実線の起立位置に保持するようにその位置が選ばれる。なお、前記球接触片１４ａ，１４ｂは、軸筒１３のほぼ中央に設けられ、かつ球が接触するテーパー面を有する断面ほぼ三角形に形成されており、その一側すなわち球接触片１４ａ，１４ｂと係合片１５，１５との間に段状に低くした係合部１６ａ，１６ｂをそれぞれ設けている。
【００１３】
１７は回転体１１の後方において箱枠８内に差渡した横軸１８に揺動自在に軸支され、かつ球導入口９の下方に球受面１９を臨ませたレバー片で、このレバー片１７は、図３に示すように常に重錘２０により球受面１９がほぼ水平を保つ位置に回動付勢されており、球導入口９に球が導かれると該球を球受面１９で受けて上向回動（反時計回り方向）する。そして、可動翼片３，３が起立した状態のときには回転体１１の下方に臨む送り爪２１の先端を係合部１６ａ又は１６ｂに下方から接触係合させて回転体１１を９０度ずつ回転させるもので、これによって起立した可動翼片３，３を傾動させる。なお、可動翼片３，３が傾動状態のときにはレバー片１７が上向回動しても送り爪２１が係合部１６ａ，１６ｂとは接触係合しないようになっている。
【００１４】
その他図中２２は回転体１１の軸筒１３の外周に圧接して該回転体１１の過回転を阻止するための板ばね、２３はレバー片１７の盲動を防ぐロック部材である。このロック部材２３は、図３および図６に示すようにレバー片１７の上方部において箱枠８内に差渡した横軸２４に回動自在に軸支されており、その軸支部より下方に垂下するロック片部２３ａと軸支部より後方に突出して箱枠８の球導入口９に臨む球接触片部２３ｂとを一体に有する。そして、ロック片部２３ａに重錘２３ｃを内装して常に下向きに回動付勢し、ロック片部２３ａの下端をレバー片１７の係合段部２４に係合させて該レバー片１７の盲動を阻止するように機能する。また、２５，２５は回転体１１の一方の係合片１５，１５の内側に設けた突起状のストッパーで、回転体１１がレバー片１７により９０度回転される位置で該レバー片１７の送り爪２１に当接して該回転体１１を正しい回転角で停止させるように機能する。
【００１５】
次に、本実施例の作用を図７ないし図９を参照して説明する。図７に示すように可動翼片３，３が起立しているとき、その可動翼片３，３間に球Ｂが入ると該球Ｂはチャッカー６の誘導底片７で受けられて回転体１１の球接触片１４ａ，１４ｂのいずれにも接触することなく球入口２から球通路１０を通って箱枠８の後方へ流出する。このため、可動翼片３，３は傾動することなく起立した状態を維持する。
【００１６】
一方、図８実線で示すように可動翼片３，３が起立した状態において、箱枠８の球導入口９から入った球Ｂ1 がレバー片１７の球受面１９に受けられると、該レバー片１７はその球重量で同図鎖線のように上向き（反時計回り方向）に回動し、これの送り爪２１が回転体１１の一方の係合部１６ａに接触して該回転体１１を９０度回転させる。これによって、回転体１１の係合片１５，１５が同図鎖線のように移動して可動翼片３，３の突起５，５との係合が解かれるため、可動翼片３，３は自重で外方へ傾動して開く。
【００１７】
また、図９実線で示すように可動翼片３，３が傾動して開いているとき、その翼片３，３間に球Ｂ2 が入ると、該球Ｂ2 はその球重量で可動翼片３，３を起立させながら回転体１１の球接触片１４ａに接触し、該回転体１１を同図鎖線のように９０度回転させた後球通路１０から箱枠８の後方へ流出する。これによって回転体１１の係合片１５，１５が可動翼片３，３の突起５，５の各内側に接触係合して該可動翼片３，３を起立した状態に維持する。以後同じように可動翼片３，３が起立した状態のときレバー片１７が揺動するごとに回転体１１を９０度ずつ回転させて可動翼片３，３を傾動すると共に、該可動翼片３，３が傾動した状態のとき、その翼片３，３間に入る球によって回転体１１を９０度ずつ回転させて該可動翼片３，３を起立する動作を繰り返し行う。
【００１８】
【発明の効果】
以上のように、本発明に係るパチンコ球受口器は、取付板に形成した球入口の前面両側に一対の可動翼片を起立および傾動自在に軸支し、取付板の後面に設けた箱枠内には可動翼片の起立と傾動を制御する回転体と、箱枠の後部上面から内部に導かれる球を受けて揺動し、前記回転体の回転を生じさせるレバー片を設けた構成のものにおいて、起立した可動翼片間に球が入ると該可動翼片を傾動させることなく箱枠の後方へ素通りさせると共に、箱枠の内部に設けたレバー片の揺動によってのみ起立した可動翼片を傾動させるようにしたものであるから、従来のセーフ球受口器のイメージを大きく変えることができて興趣に富んだものとなり、斬新な使用態様が可能となる。
【図面の簡単な説明】
【図１】本発明に係るセーフ球受口器の斜視図である。
【図２】同じく一部断面にして示す正面図である。
【図３】同じく中央縦断側面図である。
【図４】回転体の斜視図である。
【図５】レバー片の斜視図である。
【図６】ロック部材の斜視図である。
【図７】起立した可動翼片間に球が入った状態の作用説明図である。
【図８】箱枠の球導入口に球が入った状態の作用説明図である。
【図９】傾動した可動翼片間に球が入った状態の作用説明図である。
【図１０】従来のセーフ球受口器の断面図である。
【図１１】従来のセーフ球受口器の回転体の斜視図である。
【符号の説明】
１                取付板
２                球入口
３，３            可動翼片
８                箱枠
９                球導入口
１１              回転体
１４ａ，１４ｂ    球接触片
１５，１５        係合片
１６ａ，１６ｂ    係合部
１７              レバー片
【図１】
0003607719.tif 000002
【図２】
0003607719.tif 000003
【図３】
0003607719.tif 000004
【図７】
0003607719.tif 000005
【図４】
0003607719.tif 000006
【図５】
0003607719.tif 000007
【図６】
0003607719.tif 000008
【図８】
0003607719.tif 000009
【図９】
0003607719.tif 000010
【図１０】
0003607719.tif 000011
【図１１】
0003607719.tif 000012